(57)【要約】 【課題】  防虫剤と香料とを混練した合成樹脂成形品であって、防虫剤の嫌な臭いを緩和させた合成樹脂成形品を提供する。特に、衣類などの物品を収納するための物品収納ケースを構成する合成樹脂成形品を提供する。【解決手段】  この合成樹脂成形品は、合成樹脂中に、ヒノキチオールを含有する防虫剤と、バラ，オレンジ及びグレープフルーツよりなる群から選ばれた少なくとも１種の香料とが混練されてなる。防虫剤や香料は、多孔質無機粒子中に包含されているのが好ましい。多孔質無機粒子に、防虫剤や香料が包含されていると、合成樹脂中に混練しやすく、かつ、防虫効果や香料による香りの効果を徐効的にでき、長寿命のものが得られる。また、多孔質無機粒子としては、多孔質の非晶質シリカ粒子を用いるのが好ましい。合成樹脂としては、ポリプロピレンを用いるのが好ましい。【選択図】  なし【特許請求の範囲】
【請求項１】
衣類などの物品を収納するための物品収納ケースにおいて、前記物品収納ケースを形成している合成樹脂又は前記物品収納ケースの付属品を形成している合成樹脂に、ヒノキチオールを含有する防虫剤と、バラ，オレンジ及びグレープフルーツよりなる群から選ばれた少なくとも１種の香料とが混練されてなることを特徴とする衣類などの物品を収納するための物品収納ケース。
【請求項２】
防虫剤及び香料が、各々、多孔質無機粒子中に包含されている請求項１記載の衣類などの物品収納ケース。
【請求項３】
多孔質無機粒子が、多孔質の非晶質シリカ粒子である請求項２記載の衣類などの物品収納ケース。
【請求項４】
合成樹脂がポリプロピレンである請求項１乃至３のいずれか一項に記載の衣類などの物品収納ケース。
【請求項５】
衣類などの物品を収納するための物品収納ケースに用いる合成樹脂成形品であって、該合成樹脂成形品は、合成樹脂中に、ヒノキチオールを含有する防虫剤と、バラ，オレンジ及びグレープフルーツよりなる群から選ばれた少なくとも１種の香料とが混練されてなることを特徴とする合成樹脂成形品。
【請求項６】
防虫剤及び香料が、各々、多孔質無機粒子中に包含されている請求項５記載の合成樹脂成形品。
【請求項７】
多孔質無機粒子が、多孔質の非晶質シリカ粒子である請求項６記載の合成樹脂成形品。
【発明の詳細な説明】
【技術分野】
【０００１】
本発明は、衣類などの物品を収納するための物品収納ケースに関し、特に、収納される衣類などの物品に虫がつきにくい物品収納ケースに関するものである。
【背景技術】
【０００２】
衣類などの物品を収納するための物品収納ケースとしては、種々のタイプのものが知られている。代表的なタイプとしては、合成樹脂製本体と合成樹脂製蓋体とよりなるものである。このような物品収納ケースに衣類などを収納して保管しておくと、衣類などに虫がつくということがあった。
【０００３】
このため、物品収納ケース内に防虫剤製品を、衣類などと共に収納しておくことが、従来より行われている。防虫剤製品としては、防虫剤を有孔プラスチックケースや紙などで包装したもの、紙や不織布に防虫剤を含浸又は塗布したものが知られている。しかし、この防虫剤製品は、有孔プラスチックケースの孔や、紙又は不織布の間隙を通して防虫剤成分を揮発させるものであるため、相対的に防虫剤成分が揮発しやすく、防虫剤製品の寿命が短いということがあった。また、防虫剤製品の寿命が短いと頻繁にそれを取り替えなければならず、煩わしいということもあった。
【０００４】
そこで、相対的に寿命の長い防虫剤製品として、合成樹脂に防虫剤を練り込んだものが提案されている（特許文献１）。防虫剤を合成樹脂に練り込んで、長寿命の防虫剤製品が得られるのであれば、物品収納ケースが合成樹脂製であることから、長期に亙って防虫性能を持つ物品収納ケースが提供しうると考えられる。すなわち、合成樹脂製のケース自体の少なくとも一部に防虫剤を練り込めば、防虫剤製品の使用が不要である物品収納ケースが提供しうると考えられるのである。
【０００５】
【特許文献１】特開平１０−１７６１１６号公報（第２頁の請求項１及び段落番号０００５）
【発明の開示】
【発明が解決しようとする課題】
【０００６】
本発明者は、このような着想の下に、種々の防虫剤を合成樹脂に練り込んで、種々実験を行った。しかしながら、溶融した合成樹脂に防虫剤を練り込むと、防虫剤が揮発したり、防虫剤が劣化したりして、効率良く練り込めないこと、また、防虫剤を練り込んだ合成樹脂は臭いが強いことから、上記した着想は実現困難かと思われた。
【０００７】
しかしながら、種々の防虫剤や添加剤を用いて、何度も実験を重ねるうちに、特定の防虫剤であれば溶融した合成樹脂中に容易に練り込めること、また、この特定の防虫剤と特定の香料を併用すると、その香りも良好となることが判明した。本発明は、このような発見に基づくものである。
【課題を解決するための手段】
【０００８】
すなわち、本発明は、衣類などの物品を収納するための物品収納ケースにおいて、前記物品収納ケースを形成している合成樹脂又は前記物品収納ケースの付属品を形成している合成樹脂に、ヒノキチオールを含有する防虫剤と、バラ，オレンジ及びグレープフルーツよりなる群から選ばれた少なくとも１種の香料とが混練されてなることを特徴とする衣類などの物品を収納するための物品収納ケースに関するものである。
【０００９】
本発明に係る物品収納ケースは、主として衣類を収納するためのケースである。従来、衣類を収納するには、木製の箪笥が使用されていたが、近年、合成樹脂製の箱体が使用されるようになってきている。本発明は、この合成樹脂製のケースに係るものである。本発明で言う合成樹脂製の物品収納ケースは、ケース本体が合成樹脂製であってもよいし、ケースの一部や付属品が合成樹脂製であってもよい。すなわち、物品収納ケースを構成している少なくとも一部が合成樹脂製のものであればよい。
【００１０】
物品収納ケースを構成している合成樹脂には、ヒノキチオールを含有する防虫剤が混練されている。ヒノキチオールは、ヒバ油に含まれている抗菌性成分であり、防虫効果に優れているものである。したがって、ヒノキチオールを含有する防虫剤として、代表的には、ヒバ油が用いられる。ヒバ油などの防虫剤は、そのままで合成樹脂に混練してもよいし、防虫剤を多孔質無機粒子中に包含させたものを、合成樹脂に混練してもよい。後者の態様で合成樹脂と混練した方が、均一な混練が得られるし、また防虫効果が徐効的となり、好ましい。
【００１１】
多孔質無機粒子としては、多数の細孔を持つものであれば、どのようなものでも使用可能であるが、一般的には多孔質の非晶質シリカ粒子を用いるのが好ましい。多孔質の非晶質シリカ粒子は、細孔容積が１〜２ｍｌ／ｇ程度であり、吸油量が１００〜４００ｍｌ／１００ｇ程度であって、比較的多量の防虫剤を包含しうるからである。また、多孔質無機粒子の粒子径は、任意ではあるが、一般的に３〜２０μ程度である。多孔質無機粒子に包含される防虫剤の量も、任意に設定可能であり、一般的には、多孔質無機粒子１００ｇ当たり、１００〜４００ｇである。なお、防虫剤が包含された多孔質無機粒子のことを、以下、防虫剤粒子という。
【００１２】
合成樹脂に混練される防虫剤粒子の量は任意であるが、一般的に、合成樹脂１００ｇに対して、２〜４ｇ程度が好ましい。防虫剤粒子の量が２ｇ未満になると、防虫効果が不十分となる傾向が生じる。また、防虫剤粒子の量が４ｇを超えると、混練された合成樹脂の臭いが強くなり、物品収納ケースに用いる合成樹脂として、不適当になる傾向が生じる。なお、合成樹脂中に混練される防虫剤の量は、前記した防虫剤粒子の混練量から分かるように、合成樹脂１００ｇ当たり１〜３．２ｇ程度である。
【００１３】
防虫剤と共に合成樹脂に混練される香料としては、バラ，オレンジ又はグレープフルーツが単独で又は混合して用いられる。後記する実施例及び比較例からも明らかなように、これ以外の香料を用いると、ヒノキチオールとの相乗作用によって、かえって臭いが悪くなるので、好ましくない。香料も、そのままで合成樹脂に混練してもよいし、香料を多孔質無機粒子中に包含させたものを、合成樹脂に混練してもよい。後者の態様で合成樹脂と混練した方が、均一な混練が得られるし、また香料の香りの効果が徐効的となり、好ましい。多孔質無機粒子としても、前記したのと同様のものが用いられ、特に多孔質の非晶質シリカ粒子を用いるのが好ましい。また、多孔質無機粒子に包含される香料の量も、防虫剤粒子の場合と同様である。なお、香料が包含された多孔質無機粒子のことを、以下、香料粒子という。
【００１４】
合成樹脂に混練される香料粒子の量は任意であるが、一般的に、合成樹脂１００ｇに対して、０．１０〜０．２５ｇ程度が好ましい。また、防虫剤粒子に対する香料粒子の量も任意であるが、一般的に、防虫剤粒子１ｇに対して、０．１ｇ程度が好ましい。防虫剤粒子に対して香料粒子の量が多すぎたり又は少なすぎたりすると、両者の香りのバランスが悪くなり、香りが悪くなる傾向が生じる。
【００１５】
防虫剤及び香料が混練される合成樹脂は、任意のものが用いられるが、本発明においてはポリオレフィンが好ましく、特にポリプロピレンが好ましい。これは、衣類を収納するための物品収納ケースが、一般的に、ポリプロピレン製だからである。
【００１６】
防虫剤及び香料が混練された合成樹脂を用いて、物品収納ケースの本体又は蓋体の一部又は全部を成形すれば、本発明に係る物品収納ケースを得ることができる。また、防虫剤及び香料が混練された合成樹脂で、従来の防虫剤収納部を成形して、この部分だけに防虫剤及び香料を存在させてもよい。さらに、物品収納ケースの仕切り板などの付属品を、防虫剤及び香料が混練された合成樹脂で成形して、付属品に防虫剤及び香料を存在させてもよい。すなわち、衣類などの物品を収納するための物品収納ケースを構成する部材又は付属品の少なくとも一部に、防虫剤及び香料を存在させておけばよいのである。
【００１７】
また、本発明においては、合成樹脂中に、ヒノキチオールを含有する防虫剤と、バラ，オレンジ及びグレープフルーツよりなる群から選ばれた少なくとも１種の香料とが混練されてなる合成樹脂成形品を、別途準備して、これを物品収納ケースに適用してもよい。具体的には、この合成樹脂成形品を板状や錠剤状にし、従来の防虫剤収納部に、収納してもよい。
【００１８】
さらに、発明の範囲外ではあるが、上記した合成樹脂成形品、すなわち、合成樹脂中に、ヒノキチオールを含有する防虫剤と、バラ，オレンジ及びグレープフルーツよりなる群から選ばれた少なくとも１種の香料とが混練されてなる合成樹脂成形品は、物品収納ケースに限らず、その他の防虫効果を必要とする用途にも、適宜利用しうるものである。
【発明の効果】
【００１９】
本発明に係る物品収納ケースを構成する部材又は付属品は、少なくともその一部が合成樹脂で形成されており、この合成樹脂中には、ヒノキチオールを含有する防虫剤と、バラ，オレンジ及びグレープフルーツよりなる群から選ばれた少なくとも１種の香料とが混練されている。ヒノキチオールは防虫効果に優れているが、その臭いが強く、個人差もあるが、それを忌避する人もいる。しかしながら、ヒノキチオールに、バラ，オレンジ又はグレープフルーツよりなる香料を配合すると、ヒノキチオールの臭いが緩和され、その香りが良好となる。したがって、本発明に係る物品収納ケースは、防虫効果に優れると共に、強い臭いが少なくなり、使用しやすいという効果を奏する。
【００２０】
さらに、本発明に係る物品収納ケースは、防虫剤が合成樹脂中に混練されているので、その防虫効果が、長期間持続する。したがって、従来のように、頻繁に防虫剤を取り替えるという煩わしい作業を少なくしうるという効果も奏する。
【実施例】
【００２１】
以下、実施例に基づいて本発明を説明するが、本発明は実施例に限定されるものではない。本発明は、特定の防虫剤と香料との組み合わせは、合成樹脂中に混練しやすく、かつ、防虫剤の臭いを緩和して良好な香りが実現しうるとの知見に基づくものとして解釈されるべきである。
【００２２】
実施例１
平均粒子径２．２μの多孔質の非晶質シリカ粒子に、シリカ粒子１００ｇ当たりヒバ油を１００ｍｌ包含させた防虫剤粒子（環境科学開発株式会社製の特注品）を準備した。
一方、平均粒子径２．２μの多孔質の非晶質シリカ粒子に、シリカ粒子１００ｇ当たりバラ（香料）を１００ｍｌ包含させた香料粒子（環境科学開発株式会社製の特注品）を準備した。
ポリプロピレン８０ｇ当たり、防虫剤粒子２ｇ及び香料粒子０．２ｇを混練した。なお、この混練は、押出機中にポリプロピレンと防虫剤粒子と香料粒子を投入し、押出成形品を得ることによって行った。
【００２３】
実施例２
バラ（香料）に代えて、オレンジ（香料）を使用した他は、実施例１と同様にして押出成形品を得た。
【００２４】
実施例３
バラ（香料）に代えて、グレープフルーツ（香料）を使用した他は、実施例１と同様にして押出成形品を得た。
【００２５】
比較例１
香料粒子を使用しない他は、実施例１と同様にして押出成形品を得た。
【００２６】
比較例２
バラ（香料）に代えて、ライム（香料）を使用した他は、実施例１と同様にして押出成形品を得た。
【００２７】
比較例３
バラ（香料）に代えて、ローズマリー（香料）を使用した他は、実施例１と同様にして押出成形品を得た。
【００２８】
比較例４
バラ（香料）に代えて、ラベンダー（香料）を使用した他は、実施例１と同様にして押出成形品を得た。
【００２９】
実施例１〜３及び比較例１〜４に係る各押出成形品の臭いについて、官能検査を行った。この結果を表１に示した。なお、表１中の英大文字はパネラーの氏名のイニシャルである。また、パネラーが、良好な香りであると評価したものは「○」とし、良好な香りでも嫌な香りでもないと評価したものは「△」とし、嫌な香りであると評価したものは「×」とした。そして、○を２点とし、△を１点とし、×を０点として、その合計点も表１に記載した。
【００３０】
［表１］
━━━━━━━━━━━━━━━━━━━━━━━━━━━━━
実  施  例                比    較    例    
━━━━━━━        ━━━━━━━━━━━
１    ２    ３          １    ２    ３    ４
━━━━━━━━━━━━━━━━━━━━━━━━━━━━━
Ｎ          ×    ×    ×          ×    ×    ×    ×
Ｔ          ○    ○    △          △    ×    △    ×
Ｙ          ×    ○    △          ×    ×    ×    ×
Ｈ          ○    △    ○          ×    ×    ×    ×
Ｔ          ○    △    ○          ○    ×    △    ×
Ｅ          ○    ○    △          ×    ×    ×    ×
Ｅ          ○    ○    ○          △    ×    △    ×
Ｏ          △    ○    ○          △    ○    ×    ×
Ｈ          ○    ○    ○          △    ×    ×    ×
Ｍ          ×    ×    △          △    ○    △    ×
Ｓ          ○    ×    ×          △    △    ○    ○
Ｗ          △    ×    ×          △    ○    ○    △
Ｉ          △    ○    ○          △    △    △    ×
Ｏ          ○    △    ○          ○    ×    ×    ×
━━━━━━━━━━━━━━━━━━━━━━━━━━━━━
合計点    １９  １７  １８        １２    ８    ９    ３
━━━━━━━━━━━━━━━━━━━━━━━━━━━━━
【００３１】
表１の結果から明らかなように、ヒバ油と共にバラ、オレンジ又はグレープフルーツを混練した実施例１〜３に係る各押出成形品は、ヒバ油のみを混練した比較例１に係る押出成形品に比べて、その香りが良好となっていた。一方、ヒバ油と共にライム、ローズマリー又はラベンダーを混練した比較例２〜４に係る各押出成形品は、比較例１のものに比べても、その香りが低下していた。